(57)【特許請求の範囲】
【請求項１】
複数の噴射孔を有する筒状のノズル本体と、該ノズル本体が挿入可能なノズル孔を管径方向に対峙するように穿設した高温流体用の主配管と、一方のノズル孔に対して同軸に位置するように主配管の外側面に溶接固着され且つノズル本体基端部が螺合可能な低温流体用の注入管台と、他方のノズル孔に対して同軸に位置するように主配管の外側面に溶接固着され且つノズル本体先端寄り部分に外接可能な環状の嵌着部及び該嵌着部に連なり且つノズル本体先端寄り部分の外周面に対して空隙を形成し得る短筒状の保持部を有する支持管台と、ノズル本体先端部に外嵌可能で且つ支持管台の保持部に挿入可能な短筒状の押え部を有する蓋体と、支持管台の保持部の内周面に沿って配置したパッキングと、保持部に押え部が挿入された蓋体を主配管側へ向かって押圧し得る拘束手段とを備えてなることを特徴とする流体混合器。
【請求項２】
ノズル本体の外周面に複数の突起を、当該ノズル本体を注入管台に螺合した際に一方のノズル孔の内周面に当接し得るように設けた請求項１に記載の流体混合器。
【発明の詳細な説明】
【０００１】
【発明の属する技術分野】
本発明は流体混合器に関するものである。
【０００２】
【従来の技術】
図３は従来の流体混合器の一例であり、この流体混合器は、ノズル孔１を有し且つ過熱蒸気などの高温流体が流通する管路に組み込まれる主配管２と、ノズル孔１に対して同軸に位置するように主配管２の外側面に溶接固着した注入管台３と、先端部が閉塞し且つ中間部分に複数の噴射孔４を有する筒状のノズル本体５とを備え、注入管台３及びノズル孔１から主配管２内方にノズル本体５の先端寄り部分を挿入し、当該ノズル本体５の基端部を注入管台３の内側面に溶接固着している。
【０００３】
注入管台３には、飽和蒸気、あるいは温水などの低温流体を、ノズル本体５へ送給するための注入管６が接続されており、注入管６、注入管台３を経てノズル本体５に流入する低温流体を、噴射孔４から主配管２内部へ放出して高温流体に混合し、その温度を低下させる。
【０００４】
【発明が解決しようとする課題】
図３に示す流体混合器では、高温流体と低温流体の温度差が大きいことに起因してノズル本体５の消耗が激しく、数年で交換する必要がある。
【０００５】
ところが、ノズル本体５の交換に当たっては、注入管６の注入管台３寄り部分を切除し、注入管台３とノズル本体５との間に介在している隅肉溶接継手を除去しないと、既存のノズル本体５を取り外すことができない。
【０００６】
また、ノズル本体５の基端部のみを注入管台３に溶接固着した構造であるため、高温流体の流速が高い場合には、ノズル本体５に振動を生じ、当該ノズル本体５が繰り返し応力によって破損することが懸念される。
【０００７】
本発明は上述した実情に鑑みてなしたもので、ノズル本体の交換を容易にでき且つノズル本体の振動を抑止可能な流体混合器を提供することを目的としている。
【０００８】
【課題を解決するための手段】
上記目的を達成するため、本発明の請求項１に記載の流体混合器では、複数の噴射孔を有する筒状のノズル本体と、該ノズル本体が挿入可能なノズル孔を管径方向に対峙するように穿設した高温流体用の主配管と、一方のノズル孔に対して同軸に位置するように主配管の外側面に溶接固着され且つノズル本体基端部が螺合可能な低温流体用の注入管台と、他方のノズル孔に対して同軸に位置するように主配管の外側面に溶接固着され且つノズル本体先端寄り部分に外接可能な環状の嵌着部及び該嵌着部に連なり且つノズル本体先端寄り部分の外周面に対して空隙を形成し得る短筒状の保持部を有する支持管台と、ノズル本体先端部に外嵌可能で且つ支持管台の保持部に挿入可能な短筒状の押え部を有する蓋体と、支持管台の保持部の内周面に沿って配置したパッキングと、保持部に押え部が挿入された蓋体を主配管側へ向かって押圧し得る拘束手段とを備えている。
【０００９】
本発明の請求項２に記載の流体混合器では、ノズル本体の外周面に複数の突起を、当該ノズル本体を注入管台に螺合した際に一方のノズル孔の内周面に当接し得るように設けている。
【００１０】
本発明の請求項１あるいは請求項２に記載の流体混合器のいずれにおいても、支持管台から主配管内部に挿入したノズル本体の基端部を注入管台に螺合し、また、支持管台の嵌着部をノズル本体の先端寄り部分に外接させて、ノズル本体を、その基端部と先端寄り部分の２箇所で支持する。
【００１１】
更に、本発明の請求項２に記載の流体混合器においては、ノズル本体の突起を、一方のノズル孔の内周面に当接させて、ノズル本体と注入管台との螺合部分に作用する応力の緩和を図る。
【００１２】
【発明の実施の形態】
以下、本発明の実施の形態を、図示例とともに説明する。
【００１３】
図１及び図２は本発明の流体混合器の実施の形態の一例であり、この流体混合器は、先端部が閉塞し且つ中間部分に複数の噴射孔１５を穿設した筒状のノズル本体７と、該ノズル本体７を挿入可能な一対のノズル孔８，９を管径方向に対峙するように穿設した高温流体用の主配管１０と、一方のノズル孔８に対して同軸に位置するように主配管１０の外側面に溶接固着した低温流体用の注入管台１１と、他方のノズル孔９に対して同軸に位置するように主配管１０の外側面に溶接固着した支持管台１２と、ノズル本体７の先端部に外嵌可能な蓋体１３とを備えている。
【００１４】
ノズル本体７の基端部には、注入管台１１の内周面に設けた雌ねじ２１に螺合可能な雄ねじ１４が設けられている。
【００１５】
また、ノズル本体７の基端寄り部分外周面には、雄ねじ１４を雌ねじ２１に螺合した際に、ノズル孔８の内周面に当接し得る複数の突起１６が設けられている。
【００１６】
注入管台１１には、飽和蒸気、あるいは温水などの低温流体をノズル本体７へ送給するための注入管１７が接続されており、前記の雌ねじ２１は、注入管１７の流路に連なる小口径部１８と、主配管１０のノズル孔８に連なる大口径部１９との間に介在している。
【００１７】
支持管台１２は、主配管１０に溶接固着された基端部寄りに位置し且つノズル本体７の先端寄り部分に外嵌可能な環状の嵌着部２２と、該嵌着部２２に連なり且つノズル本体７先端寄り部分外周面に対して空隙を形成し得る短筒状の保持部２３とを有する。
【００１８】
また、支持管台１２の外周面には、管台径方向外方へ突出するブラケット２４が管台軸線を中心に対称に固設されており、該ブラケット２４にアイボルト２５の基部を枢支している。
【００１９】
更に、支持管台１２には、ノズル本体７の先端寄り部分に外接し且つ保持部２３内周面に沿うようにパッキング２６が挿入されている。
【００２０】
蓋体１３は、ノズル本体７先端部に外嵌可能で且つ支持管台１２の保持部２３に挿入可能な短筒状の押え部２７を有している。
【００２１】
また、蓋体１３には、その径方向両側方へ張り出した略菱形平面のフランジ部２８が設けられており、該フランジ部２８には、前記のアイボルト２５の先端部が挿通可能なボルト孔２９が穿設されている。
【００２２】
これにより、支持管台１２の保持部２３に蓋体１３の押え部２７を挿入し且つボルト孔２９にアイボルト２５を挿通したうえ、該アイボルト２５の先端に螺合したナット３０を蓋体１３側へ締め付けると、押え部２７によりパッキング２６が押圧される。
【００２３】
ノズル本体７を主配管１０に装着するときには、ノズル本体７の基端部を支持管台１２から主配管１０内部に挿入し、注入管台１１の雌ねじ２１にノズル本体７の雄ねじ１４を螺着する。
【００２４】
更に、支持管台１２の保持部２３に蓋体１３の押え部２７を挿入し、前述したように、アイボルト２５及びナット３０によって蓋体１３を主配管１０側へ圧入し、パッキング２６を押え部２７を介して押圧することにより、ノズル本体７の先端を保持するとともに、流体が当該部分から主配管１０の外部へ漏洩することを防止する。
【００２５】
これにより、主配管１０に装着したノズル本体７は、注入管台１１に螺着した基端部と、支持管台１２の嵌着部２２に内接する先端寄り部分との２箇所で支持される。
【００２６】
また、ノズル本体７に設けた突起１６が、ノズル孔８の内周面に当接するので、ノズル本体７と注入管台１１との螺合部分に作用する応力の緩和を図ることができる。
【００２７】
このように、図１及び図２に示す流体混合器においては、支持管台１２側から主配管１０内部に挿入したノズル本体７の基端部を注入管台１１に螺合し、支持管台１２の嵌着部２２をノズル本体７の先端寄り部分に外接させて、当該ノズル本体７を、その基端部と先端寄り部分の２箇所で支持する構造とし、更にまた、ノズル本体７に設けた突起１６が、ノズル孔８の内周面に接して、ノズル本体７と注入管台１１の螺合部分に作用する応力を緩和するので、ノズル本体７の交換が容易にでき且つノズル本体７の振動を抑止できる。
【００２８】
なお、本発明の流体混合器は上述した実施の形態のみに限定されるものではなく、本発明の要旨を逸脱しない範囲内において種々変更を加え得ることは勿論である。
【００２９】
【発明の効果】
以上述べたように、本発明の流体混合器によれば、下記のような種々の優れた効果を奏し得る。
【００３０】
（１）本発明の請求項１あるいは請求項２に記載の流体混合器のいずれにおいても、支持管台から主配管内部に挿入したノズル本体の基端部を注入管台に螺合し、また、支持管台の嵌着部をノズル本体の先端寄り部分に外接させて、ノズル本体を、その基端部と先端寄り部分の２箇所で支持するので、ノズル本体の交換が容易にでき且つノズル本体の振動を抑止できる。
【００３１】
（２）本発明の請求項２に記載の流体混合器においては、ノズル本体の突起を、一方のノズル孔の内周面に当接させるので、ノズル本体と注入管台の螺合部分に作用する応力の緩和を図ることができる。
【図面の簡単な説明】
【図１】本発明の流体混合器の実施の形態の一例の側面図である。
【図２】図１のＩＩ−ＩＩ矢視図である。
【図３】従来の流体混合器の一例の断面図である。
【符号の説明】
７          ノズル本体
８          ノズル孔
９          ノズル孔
１０          主配管
１１          注入管台
１２          支持管台
１３          蓋体
１５          噴射孔
１６          突起
２２          嵌着部
２３          保持部
２５          アイボルト（拘束手段）
２６          パッキング
２７          押え部
【図１】
0004765218.tif 000002
【図２】
0004765218.tif 000003
【図３】
0004765218.tif 000004